(57)【要約】【課題】  本や雑誌等の左右頁を有する見開き原稿であっても、確実且つ適切に画像読取を行なえる、実用性の高い画像読取装置の提供。【解決手段】  原稿台に載置された見開き原稿の左右頁の画像情報を交互に読み取る際に、原稿台に載置される原稿の読取領域が、原稿の載置基準に応じて交互に変化するように制御する。さらに原稿台の上での原稿の載置の基準位置をユーザに通知する。  また、左右頁で載置の向きが逆となるように載置した見開き原稿の左右頁を交互に読み取り、読み取った一方の画像を１８０度回転させるように画像処理を施す。さらに原稿台の上での原稿の載置の向きをユーザに通知する。【選択図】  図６
2010041397.tif 000002
【特許請求の範囲】
【請求項１】
原稿台に載置された原稿の画像情報を読み取る読取手段と、
読み取りを指示するためのトリガ手段と、
該トリガ手段で指示される毎に、前記原稿台に載置される原稿の読取領域が変化するように前記読取手段を制御する制御手段
を有することを特徴とする画像読取装置。
【請求項２】
前記原稿は左右頁を有する見開き原稿であって、左右頁が交互に原稿台上での載置の基準位置が異なるように載置され、
前記トリガ手段で指示される毎に左右頁の画像情報を交互に読み取り、
前記制御手段は、該交互の読み取り毎に、前記載置の基準位置に応じた前記原稿の読取領域となるように、該読取領域を交互に変えるように制御する、請求項１記載の画像読取装置。
【請求項３】
前記原稿台の上での原稿の載置の基準位置をユーザに通知する通知手段を有する。請求項１又は２記載の画像読取装置。
【請求項４】
原稿台に載置された原稿の画像情報を読み取る読取手段と、
読み取りを指示するためのトリガ手段と、
該トリガ手段で指示される毎に、前記読取手段で原稿の読み取りを行い、読み取った画像の向きを、読み取り毎に変化させるように画像処理を施す手段
を有することを特徴とする画像読取装置。
【請求項５】
前記原稿は左右頁を有する見開き原稿であって、左右頁が交互に原稿台上での載置の向きが逆となるように載置され、
前記トリガ手段で指示される毎に左右頁の画像情報を交互に読み取り、
該交互に読み取った画像の一方を、前記載置の向きに応じて１８０度回転させる画像処理を施す、請求項４記載の画像読取装置。
【請求項６】
前記原稿台の上での原稿の載置の向きをユーザに通知する通知手段を有する、請求項４又は５記載の画像読取装置。
【請求項７】
前記トリガ手段は、ユーザが操作するスキャンボタンである、請求項１乃至６のいずれか記載の画像読取装置。
【請求項８】
前記トリガ手段は、原稿台に原稿が載置されたことを検知する手段である、請求項１乃至７のいずれか記載の画像読取装置。
【請求項９】
請求項１乃至８のいずれか記載の画像読取装置とプリンタ部とを一体に備えることを特徴とするマルチファンクションプリンタ。
【発明の詳細な説明】
【技術分野】
【０００１】
本発明は、光電変換素子を含む読取光学系により、原稿を光学的に読み取ってデジタル画像データに変換する画像読取装置に関する。
【背景技術】
【０００２】
画像読取装置であるスキャナ装置は、ユーザがボタンを操作することで、原稿を読み取ってデジタル画像データに変換し、その結果のデータを、スキャナ装置に接続されたＰＣや、メモリスロットに装着されたメモリカードに送信する。これはプッシュスキャン機能として知られている。
【０００３】
ここで、原稿が本や雑誌等の左右見開き原稿である場合、スキャナの読み取り可能サイズがＡ４で、本の１頁のサイズがＡ５以下であれば、見開き２頁を同時にスキャンできるが、それより大きい場合は１頁ずつ２回に分けてスキャンする必要がある。
【０００４】
たとえば、図７のような装置で、１頁がＢ５の見開き原稿を読み取る場合、ユーザはスキャナにＢ５の読み取り範囲を設定した上で、見開き原稿を原稿台の読取面に置く。通常、読み取り範囲は、図１のように、読取面の四隅のいずれかに予め決められている突き当て位置を基準として設定される。
【０００５】
右頁のスキャン時には、図８（ａ）のように、原稿の右上の角を、原稿台の突き当て位置に物理的に突き当てて位置合わせするので正確な位置合わせが可能で、原稿台上で読み取りたい範囲を正確に設定することができる。
【０００６】
一方、左頁のスキャン時には、図８（ｂ）のように、左頁の右上角（右頁との境界位置）を突き当て位置に合わせる必要がある。しかし、これは原稿の角ではないので、原稿台の突き当て位置に物理的に突き当てることができず、正確な位置合わせは難しい。そのため、左頁は、読み取られた画像データが斜めに傾いたり、本来読み取りたい位置からずれたところを読み取ってしまうことがしばしば起きる。
【０００７】
従来のスキャナ装置の例として、特開２００４−７１１０号公報、特開平０９−０２７８８７号公報に開示された装置がある。（特許文献１、特許文献２参照）
【特許文献１】特開２００４−７１１０号公報
【特許文献２】特開平０９−０２７８８７号公報
【発明の開示】
【発明が解決しようとする課題】
【０００８】
しかしながら、上記の従来例には次のような解決すべき課題がある。
【０００９】
特開２００４−７１１０号は、読み取り基準位置を手前角と奥側角のどちらにも設定することが可能で、さらに別に装備するセンサーによって原稿の位置を検知し、二つの基準位置のうち適切な方をスキャナが自動的に選択して、読み取りを行うことを開示している。しかし、見開き原稿をスキャンするような場合では、図８（ａ）のような状態においては、原稿位置の検知によって適切な読み取り基準位置を設定することが困難である。
【００１０】
また、特開平０９−０２７８８７号は、同様に基準位置を二つ設定可能とし、第１の基準位置から第１の方向または第２の基準位置から第２の方向へ移動して画像を読み取ることを開示している。しかし、基準位置を手動で設定することが前提になっており、使い勝手に改善の余地がある。
【００１１】
本発明は上述の課題の認識に基づいてなされたものである。
【００１２】
本発明の目的は、左右頁を有する見開き原稿であっても、確実且つ適切に画像読取を行なえる、実用性の高い画像読取装置の提供である。
【課題を解決するための手段】
【００１３】
本発明の画像読取装置のある形態は、原稿台に載置された見開き原稿の画像情報を読み取る読取手段と、読み取りを指示するためのトリガ手段と、該トリガ手段で指示される毎に、前記原稿台に載置される原稿の読取領域が交互に変化するように前記読取手段を制御する制御手段を有することを特徴とする。
【００１４】
好ましくは、原稿は左右頁を有する見開き原稿であって、左右頁が交互に原稿台上での載置の基準位置が異なるように載置され、前記トリガ手段で指示される毎に左右頁の画像情報を交互に読み取り、該交互の読み取り毎に、前記載置の基準位置に応じた前記原稿の読取領域となるように、該読取領域を交互に変える。
【００１５】
さらに好ましくは、前記原稿台の上での原稿の載置の基準位置をユーザに通知する通知手段を有する。
【００１６】
本発明の画像読取装置の別の形態は、原稿台に載置された見開き原稿の画像情報を読み取る読取手段と、読み取りを指示するためトリガ手段と、該トリガ手段で指示される毎に、前記読取手段で原稿の読み取りを行い、読み取った画像の向きを、読み取り毎に交互に変化させるように画像処理を行なう手段を有することを特徴とする。
好ましくは、前記原稿は左右頁を有する見開き原稿であって、左右頁が交互に原稿台上での載置の向きが逆となるように載置され、前記トリガ手段で指示される毎に左右頁の画像情報を交互に読み取り、該交互に読み取った画像の一方を、前記載置の向きに応じて１８０度回転させる画像処理を施す。
【００１７】
さらに好ましくは、前記原稿台の上での原稿の載置の方向をユーザに通知する通知手段を有する。
【発明の効果】
【００１８】
本発明によれば、左右頁を有する見開き原稿であっても、確実且つ適切に画像読取を行なえる、実用性の高い画像読取装置を提供することができる。
【発明を実施するための最良の形態】
【００１９】
本発明の実施の形態の説明に先立ち、基本的な考え方について説明する。
【００２０】
本、雑誌、パンフレット等の左右頁を有する見開き原稿の、連続する頁をスキャンする場合には、右頁と左頁のスキャンを交互に行なうのが通常である。したがって、上記特開２００４−７１１０号公報のようにスキャナ側で原稿位置を検知せずとも、スキャンするたびに、左右頁にそれぞれ適した二つの読み取りモードを交互に切り替えるような制御を行えばよい。この着眼点に基づいて、以下のような形態としている。
【００２１】
第１の形態は、図６（ａ），（ｂ）のように、ユーザがスキャンボタンを押す等のトリガによってスキャン開始の指示がなされるたびに、基準位置である突き当て位置と読取領域を交互に切り替えるようにする。ユーザは、右頁スキャン時には右頁の右上角を、左頁スキャン時には左頁の左上角を突き当て位置に物理的に突き当てて位置合わせする。これにより、左頁の読取時にも、傾きやズレがなく適切な範囲をスキャンすることができる。
【００２２】
さらにこの場合、突き当て位置が左右のどちら側であるか、すなわち原稿台の上での原稿の載置の位置決め基準となる基準位置をユーザに通知する通知手段を設ければ、ユーザは左右頁で間違いない基準位置に原稿を載置することができるので、より一層実用性が高まる。
【００２３】
第２の形態は、基準位置である突き当て位置と読取領域は左右頁では変えずに、左頁については図６（ｃ）のように、見開き原稿の載置の向きを右頁のときと上下逆にして、頁の左下を突き当て位置に物理的に突き当てて位置合わせする。このままでは読み取った結果の画像は上下逆さになるので、読み取った画像を１８０度回転する画像処理を施して、この画像を出力する。右頁については画像を回転させる必要はない。画像の回転処理は、スキャナ装置内で行ってもよいし、外部にＰＣが接続されている場合はＰＣ側で行ってもよい。
【００２４】
さらにこの場合、右頁と左頁のどちらの読取モードにあるか、すなわち原稿台の上での原稿の載置の向きをユーザに通知する通知手段を設ければ、ユーザは左右頁で間違いない向きに原稿を載置することができるので、より一層実用性が高まる。
【００２５】
＜発明の実施の形態＞
以下、本発明の第１の実施の形態の画像読取装置であるスキャナ装置を図面を用いて説明する。なお、本発明はスタンドアロンのスキャナ装置に限らず、スキャナ機能とプリンタ機能、その他必要に応じてコピー機能、ＦＡＸ機能等の複数の機能部を一体に併せ持つ、いわゆるマルチファンクションプリンタにも適用可能である。
【００２６】
図１は本実施の形態のスキャナ装置の制御系を中心とする全体のブロック図と、原稿台上の配置を示す図である。
【００２７】
ＣＰＵ１は装置全体の動作を制御する制御手段としてのコントローラである。
【００２８】
画像読取センサ２はライン状の光電変換素子アレイを有し、原稿台上の原稿の所定領域の画像情報を光学系を介して光学的に読み取り、アナログ電気信号に変換する。
【００２９】
ＡＦＥ（アナログフロントエンド）３は、画像読取センサ２の電気信号をＡ／Ｄ変換して、デジタル画像データに変換する。画像読取センサ２とＡＦＥ３により、原稿台に載置された見開き原稿の画像情報を読み取る読取手段を構成している。
【００３０】
画像処理部４は、ＡＦＥ３で得た画像データに回転、変形などの画像処理を施したり、シェーディング処理や色変換処理など各種画像処理を行う。
【００３１】
メインメモリ５は、ＣＰＵ１がワークエリアとして使用したり、画像データを一時的に保存するものである。
【００３２】
ＰＣインターフェース６は、外部のＰＣ等の機器と接続するＵＳＢや無線ＬＡＮ等の有線または無線のインターフェースであり、スキャン画像をＰＣへ転送する。
【００３３】
メモリカードインターフェース７は、メモリカードを装着するためのスロットであり、これを介してスキャン画像をメモリカードへ書き込む。
【００３４】
操作部８は、ユーザがスキャン開始を装置に指示するトリガ手段であるスキャンボタン、およびユーザが原稿サイズや動作モードを選択するボタンを含む、複数の操作部材からなるユーザインターフェースである。図１の右側に示すように、原稿台の下方にボタンが並んでいる。
【００３５】
インジケータ９ａ、９ｂは、原稿台の画像読取面の両側に配置されたＬＥＤなどの表示素子である。図１の右側に示すように、原稿台の読取面の上方の左右に設けている。これら２つの９ａ、９ｂは排他的に点灯し、点灯している側の角が突き当て位置であることをユーザに対して示す。これらインジケータ９ａ、９ｂは、原稿台に載置する原稿の基準位置をユーザに通知する通知手段である。
【００３６】
これらの各構成要素は、共通バスにより電気的に接続されている。本例では、原稿読取面はＡ４サイズに対応した大きさを有し、最大Ａ４サイズまでの原稿の読み取りを可能としている。
【００３７】
圧板２０は、原稿台に原稿を乗せる際に開けて、スキャン時には閉じて余計な光が読取光学系に入らないようにするための上蓋である。
【００３８】
次に、図２のフローチャートを用いて、左右の各頁がＢ５サイズ（見開きサイズＢ４）の見開き原稿をスキャンする際の、ユーザの操作および装置の動作を説明する。ユーザーの指示で読み取ったスキャン画像を装置に接続されたＰＣへまたはメモリカードに送信する、プッシュスキャンモードでスキャナを動作させる場合を説明する。
【００３９】
次のような各ステップによって動作する。
Ｓ１  ユーザは操作部８を操作して、見開き原稿のプッシュスキャンを実行するモードを選択する。
Ｓ２  ユーザは操作部８を操作して、読み取りサイズＢ５を選択する。
Ｓ３  ＣＰＵ１は、係数ｋ＝１を設定する。
Ｓ４  ｋが奇数の場合Ｓ５へ、偶数の場合Ｓ９へ分岐する。
Ｓ５  ＣＰＵ１は、インジケータ９ａを点灯し且つ９ｂを消灯して、インジケータ９ａ側が読取面の基準位置（突き当て位置）であることをユーザに示す。
Ｓ６  ユーザはインジケータ９ａの点灯を見て、見開き原稿の（読取面側から見て）右頁の右上端の角を、点灯しているインジケータ９ａ側の突き当て位置に物理的に突き当てて位置合わせして、原稿を読取面の上に置く。
Ｓ７  ユーザは操作部８のスキャン開始ボタンまたは操作終了ボタンを押す。前者を押した場合はＳ８へ移行し、後者の場合は操作終了する。
Ｓ８  ＣＰＵ１の制御によって装置が読み取りを開始して、インジケータ９ａが点灯している側の突き当て位置を基準としたＢ５サイズの読取領域（図３（ａ）の斜線で示す読取領域）をスキャンして、画像データに変換する。その後、Ｓ１３へ移行する。
Ｓ９  ＣＰＵ１は、インジケータ９ｂを点灯し且つ９ａを消灯して、インジケータ９ｂ側が読取面の基準位置（突き当て位置）であることをユーザに示す。
Ｓ１０  ユーザはインジケータ９ｂの点灯を見て、見開き原稿の（読取面側から見て）左頁の左上端に角を、点灯しているインジケータ９ａ側の突き当て位置に物理的に突き当てて位置合わせして、原稿を読取面の上に置く。
Ｓ１１  ユーザは操作部８のスキャン開始ボタンまたは操作終了ボタンを押す。前者を押した場合はＳ１２へ移行し、後者の場合は操作終了する。
Ｓ１２  ＣＰＵ１の制御によって装置が再び読み取りを開始して、インジケータ９ｂが点灯している側の突き当て位置を基準としたＢ５サイズの読取領域（図３（ｂ）の斜線で示す読取領域）をスキャンして、画像データに変換する。
Ｓ１３  読み取って得た画像データを、ＰＣインターフェース６を経由でＰＣへ送信する。あるいは、メモリカードインターフェースを経由して装着されたメモリカードに画像を記録する。
Ｓ１４  ｋ＋＋で係数ｋをカウントアップして、Ｓ４へ戻る。
【００４０】
以上のように、本実施の形態によれば、見開き原稿の左右頁を連続してスキャンする場合に、ユーザがスキャンボタンを押すごとに、スキャナ装置が突き当て位置と読み取り範囲をスキャンごとに交互に変える。すなわち、トリガ手段で指示される毎に、原稿台に載置する原稿の基準位置および読取範囲が交互に変化するように制御する。これにより、ユーザは見開き原稿の左右いずれの頁も、基準位置である突き当て位置に物理的に正確に位置合わせすることができるので、左右のどちらの頁についても傾きやズレがない正確なスキャン画像を得ることができる。
【００４１】
さらに、原稿台の上での原稿の載置の位置決め基準となる基準位置をユーザに通知する通知手段を設けているので、ユーザは左右頁で間違いない基準位置に原稿を載置することができ、実用性をより高めている。
【００４２】
＜第２の実施形態＞
次に本発明の第２の実施形態について説明する。
【００４３】
本実施の形態では、図４に示すように、原稿台に載置する原稿の基準位置である突き当て位置は、読取面の左上の一箇所に固定されている。装置の制御系は、インジケータ９ａ，９ｂを除いて図１の左側に示したブロック図と同様である。
【００４４】
先の図１におけるインジケータ９ａ、９ｂの代わりに、原稿の向き（上下方向）を示すＬＥＤ等の表示素子からなるインジケータ１０ａ，１０ｂを、読取面の左右に設けている。インジケータ１０ａ，１０ｂは、読取面の周囲のどこか一辺に並べて配置しても良いし、スキャナに接続したＰＣにインストールされたスキャナドライバあるいはアプリケーションソフトによって、ＰＣの表示画面に上下方向を表示するようにしてもよい。これらインジケータ１０ａ，１０ｂまたはＰＣの画面表示は、原稿台に載置する原稿の向き（方向）をユーザに通知する通知手段である。
【００４５】
ここで、図５のフローチャートを用いて、一頁がＢ５サイズ（見開きサイズＢ４）の見開き原稿をスキャンする際の、ユーザの操作および装置の動作を説明する。ここでは、ユーザーの指示で読み取ったスキャン画像を装置に接続されたＰＣへまたはメモリカードに送信する、プッシュスキャンモードでスキャナを動作させる場合を説明する。
【００４６】
次のような各ステップによって動作する。
Ｓ１０１  ユーザは操作部８を操作して、見開き原稿のプッシュスキャンを実行するモードを選択する。
Ｓ１０２  ユーザは操作部８を操作して、読み取りサイズＢ５を選択する。
Ｓ１０３  ＣＰＵ１は、係数ｋ＝１を設定する。
Ｓ１０４  ｋが奇数の場合Ｓ１０５へ、偶数の場合Ｓ１０９へ分岐する。
Ｓ１０５  ＣＰＵ１は、インジケータ１０ａを点灯し且つ１０ｂを消灯して、次回のスキャンが順方向モードであることをユーザに示す。
Ｓ１０６  ユーザはインジケータ１０ａの点灯を見て、図６（ａ）のように、見開き原稿の（読取面側から見て）右頁の右上端の角を、突き当て位置に物理的に突き当てて位置合わせして、原稿を読取面の上に置く。
Ｓ１０７  ユーザは操作部８のスキャン開始ボタンまたは操作終了ボタンを押す。前者を押した場合はＳ１０８へ、後者の場合は操作終了。
Ｓ１０８  ＣＰＵ１の制御によって装置が読み取りを開始して、突き当て位置を基準としたＢ５サイズの読み取り領域をスキャンして、画像データに変換する。その後、Ｓ１１３へ移行する。
Ｓ１０９  ＣＰＵ１は、インジケータ１０ｂを点灯し且つ１０ａを消灯して、次回のスキャンが逆方向モードであることをユーザに示す。
Ｓ１１０  ユーザはインジケータ１０ｂの点灯を見て、図６（ｃ）のように、見開き原稿の（読取面側から見て）左頁の左下端の角を、突き当て位置に物理的に突き当てて位置合わせして、原稿を上下逆さにして読取面に置く。
Ｓ１１１  ユーザは操作部８のスキャン開始ボタンまたは操作終了ボタンを押す。前者を押した場合はＳ１１２へ移行し、後者の場合は操作終了する。
Ｓ１１２  ＣＰＵ１の制御によって装置が再び読み取りを開始して、突き当て位置を基準としたＢ５サイズの読み取り領域スキャンして、画像データに変換する。そして、画像処理部４にて、画像データを１８０度回転する画像処理を施す。
Ｓ１１３  読み取って得た画像データを、ＰＣインターフェース６を経由でＰＣへ送信する。あるいは、メモリカードインターフェースを経由して装着されたメモリカードに画像を記録する。なお、上述の１８０度の回転処理を、装置内の画像処理部４で行なわず、回転処理しない画像をＰＣへ送信し、ＰＣの側で左頁スキャン時のみスキャナドライバ、あるいはＰＣアプリケーションソフトで１８０度回転処理を行うようにしてもよい。
Ｓ１１４  ｋ＋＋で係数ｋをカウントアップして、Ｓ１０４へ戻る。
【００４７】
以上のように、本実施の形態によれば、右頁スキャン時には画像データはそのまま、左頁スキャン時にはスキャン画像を１８０度回転させる。言い換えると、トリガ手段で指示される毎に、読取手段で読み取った画像の、画像の向きを交互に変化させる。これにより、ユーザは見開き原稿の左右いずれの頁も、基準位置である突き当て位置に物理的に正確に位置合わせすることができるいので、左右のどちらの頁についても傾きやズレがない正確なスキャン画像を得ることができる。
【００４８】
さらに、原稿台の上での原稿の載置の向きをユーザに通知する通知手段を設けているので、ユーザは左右頁で間違いない向きに原稿を載置することができ、実用性をより高めている。
【００４９】
なお、以上２つの実施の形態は、ユーザによるスキャンボタンの操作をトリガ手段にして、このトリガ手段の指示でスキャン動作を行なうプッシュスキャンである。変形例として、ユーザによって原稿台に原稿が載置されたことを検知する手段、例えばスキャナ装置の圧板２０を閉じたことをセンサで検知する検知手段を設ける。そして、この検知手段をトリガ手段にして、このトリガ手段の指示で自動的にスキャン動作を行なうように制御してもよい。この場合、ユーザは読取を終了するときのみボタン操作を行なう。また、これら２種類のトリガ手段を併せ持つようにしてもよい。これにより、ユーザの都度のボタン操作を省略して、より自動化された実用性の高い装置となる。
【図面の簡単な説明】
【００５０】
【図１】第１の実施形態のスキャナ装置の制御系を中心とする全体のブロック図と、原稿台上の配置を示す図
【図２】第１の実施形態で、見開き原稿をスキャンする際の、ユーザ操作および装置の動作を説明するフローチャート図
【図３】見開き原稿をスキャンする際の、左右頁での読み取り領域と、インジケータの点灯状態を示す図
【図４】第２の実施形態のスキャナ装置の原稿台上の配置を示す図
【図５】第２の実施形態で、見開き原稿をスキャンする際の、ユーザ操作および装置の動作を説明するフローチャート図
【図６】本発明の考え方を説明するための図
【図７】従来例のスキャナ装置の外見図
【図８】従来例のスキャナ装置における、見開き原稿をスキャンする際の説明図
【符号の説明】
【００５１】
１  ＣＰＵ
２  画像読取センサ
４  画像処理部
８  操作部
９ａ、９ｂ  インジケータ
１０ａ、１０ｂ  インジケータ
２０  圧板
【図１】
2010041397.tif 000003
【図２】
2010041397.tif 000004
【図３】
2010041397.tif 000005
【図４】
2010041397.tif 000006
【図５】
2010041397.tif 000007
【図６】
2010041397.tif 000008
【図７】
2010041397.tif 000009
【図８】
2010041397.tif 000010